【手続補正書】
【提出日】平成18年6月22日(2006.6.22)
【手続補正１】
【補正対象書類名】明細書
【補正対象項目名】発明の名称
【補正方法】変更
【補正の内容】
【発明の名称】出力機器、サーバ機器および制御機器、並びにこれらを備えた通信システム、通信方法、プログラムおよび記録媒体
【手続補正２】
【補正対象書類名】明細書
【補正対象項目名】特許請求の範囲
【補正方法】変更
【補正の内容】
【特許請求の範囲】
【請求項１】
信号パターンの生成に用いられるキー情報に基づいて、信号パターンを生成する信号パターン生成手段と、
入力信号が入力される複数の入力端子と、
上記信号パターン生成手段で生成した信号パターンと、上記入力端子に入力された入力信号に含まれる信号パターンとが一致するか否かを判定する信号パターン比較手段とを備えていることを特徴とする出力機器。
【請求項２】
上記信号パターン比較手段が、上記信号パターン同士が一致すると判定した場合に、一致する信号パターンを含む入力信号が入力された入力端子からの入力信号を出力する入力信号切り替え手段とをさらに備えていることを特徴とする請求項１に記載の出力機器。
【請求項３】
上記信号パターン比較手段が、上記各信号パターンが一致すると判定した場合には、制御機器に対して、該信号パターンを含む入力信号が入力された入力端子の識別番号を通知する識別番号送信手段をさらに備えていることを特徴とする請求項１に記載の出力機器。
【請求項４】
上記制御機器からサーバ機器の識別番号を含む切替指示を受信する切替指示受信手段と、
上記切替指示受信手段で受信した切替指示に含まれる識別番号に対応する上記入力端子に入力した入力信号を出力する入力信号切り替え手段とをさらに備えていることを特徴とする請求項３に記載の出力機器。
【請求項５】
上記信号パターン比較手段が、上記各信号パターンが一致すると判定した場合には、制御機器から上記信号パターンを含む入力信号を送信したサーバ機器の識別情報を取得し、上記信号パターンを含む入力信号が入力された入力端子の識別番号と、取得したサーバ機器の識別情報との組み合わせを記録する入力設定管理テーブルをさらに備えていることを特徴とする請求項１に記載の出力機器。
【請求項６】
上記制御機器からサーバ機器の識別情報を含む切替指示を受信する切替指示受信手段と、
上記入力設定管理テーブルを参照して上記切替指示受信手段で受信した切替指示に含まれるサーバ機器の識別情報に対応する入力端子の識別番号を取得し、該識別番号に対応する入力端子に入力した入力信号を出力する入力信号切り替え手段とをさらに備えていることを特徴とする請求項５に記載の出力機器。
【請求項７】
上記キー情報を、ネットワークを介して接続された制御機器より取得することを特徴とする請求項１に記載の出力機器。
【請求項８】
上記入力信号が映像信号であることを特徴とする請求項１〜７の何れか１項に記載の出力機器。
【請求項９】
上記信号パターン生成手段によって生成される信号パターンは、特定の形状、大きさを持つ映像パターンであることを特徴とする請求項８に記載の出力機器。
【請求項１０】
上記信号パターン比較手段は、上記入力端子に入力した映像信号のうち出力時に表示されない領域から、信号パターンを抽出することを特徴とする請求項９に記載の出力機器。
【請求項１１】
上記入力信号が音声信号であることを特徴とする請求項１〜７の何れか１項に記載の出力装置。
【請求項１２】
信号パターンの生成に用いられるキー情報に基づいて、信号パターンを生成する信号パターン生成手段と、
上記信号パターン生成手段で生成した信号パターンを含む出力信号を出力する出力端子とを備えていることを特徴とするサーバ機器。
【請求項１３】
上記キー情報を、ネットワークを介して接続された制御機器より取得することを特徴とする請求項１２に記載のサーバ機器。
【請求項１４】
上記出力信号が映像信号であることを特徴とする請求項１２に記載のサーバ機器。
【請求項１５】
上記信号パターン生成手段によって生成される信号パターンは、特定の形状、大きさを持つ映像パターンであることを特徴とする請求項１２に記載のサーバ機器。
【請求項１６】
上記信号パターン生成手段は、上記出力端子に出力する映像信号のうち出力時に表示されない領域に前記信号パターンを配置することを特徴とする請求項１４に記載のサーバ機器。
【請求項１７】
上記出力信号が音声信号であることを特徴とする請求項１２に記載のサーバ機器。
【請求項１８】
ネットワークを介して、出力機器および複数のサーバ機器と接続された制御機器であって、
信号パターンの生成に用いられるキー情報を生成するキー情報生成手段と、
上記キー情報を、上記出力機器と、上記複数のサーバ機器のうちの何れか１つとに対して送信するキー情報送信手段とを備えていることを特徴とする制御機器。
【請求項１９】
操作者による任意のサーバ機器の選択を受け付けるサーバ機器選択手段と、
上記出力機器に対して、上記サーバ機器選択手段が受け付けた上記サーバ機器の識別情報を含む切替指示を送信する切替指示送信手段とをを備えていることを特徴とする請求項１８に記載の制御機器。
【請求項２０】
上記キー情報を送信した所望のサーバ機器が接続されている出力機器の入力端子の識別番号を取得し、キー情報を送信したサーバ機器の識別情報と、上記取得した出力機器の入力端子の識別番号との組み合わせを記録する入力設定管理テーブルをさらに備えていることを特徴とする請求項１８に記載の制御機器。
【請求項２１】
操作者による任意のサーバ機器の選択を受け付けるサーバ機器選択手段と、
上記入力設定管理テーブルを参照して、上記サーバ機器選択手段が受け付けたサーバ機器の識別情報に対応する入力端子の識別番号を取得し、上記出力機器に対して該入力端子の識別番号を含む切替指示を送信する切替指示送信手段とをさらにを備えていることを特徴とする請求項２０に記載の制御機器。
【請求項２２】
請求項２に記載の出力機器と、請求項１２に記載のサーバ機器と、請求項１８に記載の制御機器とが、ネットワークを介して互いに接続されており、
上記出力機器および上記サーバ機器は、いずれも、上記キー情報を上記制御機器より取得し、
上記サーバ機器の出力端子から出力された信号が、上記出力機器の入力端子に入力されることを特徴とする通信システム。
【請求項２３】
請求項４に記載の出力機器と、請求項１２に記載のサーバ機器と、請求項２１に記載の制御機器とが、ネットワークを介して互いに接続されており、
上記出力機器および上記サーバ機器は、いずれも、上記キー情報を上記制御機器より取得し、
上記サーバ機器の出力端子から出力された信号が、上記出力機器の入力端子に入力されることを特徴とする通信システム。
【請求項２４】
請求項６に記載の出力機器と、請求項１２に記載のサーバ機器と、請求項１８に記載の制御機器とが、ネットワークを介して互いに接続されており、
上記出力機器および上記サーバ機器は、いずれも、上記キー情報を上記制御機器より取得し、
上記サーバ機器の出力端子から出力された信号が、上記出力機器の入力端子に入力されることを特徴とする通信システム。
【請求項２５】
ネットワークを介して互いに接続された、制御機器と、出力端子から出力信号を出力する複数のサーバ機器と、該サーバ機器の出力端子に接続された入力端子に入力された入力信号に基づいて出力を行なう出力機器とを備えた通信システムの通信方法であって、
上記制御機器が、キー情報を生成して、該キー情報を上記サーバ機器および出力機器に対して送信するステップと、上記サーバ機器が、受信した上記キー情報に基づいて信号パターンを形成し、該信号パターンを含む出力信号を出力端子から出力するステップと、上記出力機器が、受信した上記キー情報に基づいて形成した信号パターンと、入力端子から入力した入力信号に含まれる信号パターンとを比較して一致するか否かを判定するステップとを備えていることを特徴とする通信方法。
【請求項２６】
ネットワークを介して制御機器と複数のサーバ機器と通信システムを構成可能であり、入力信号が入力される複数の入力端子を備えたコンピュータを動作させるプログラムであって、
上記制御機器において生成されたキー情報を受信して、キー情報に基づく信号パターンを生成し、
生成した信号パターンと、上記入力端子に入力した入力信号に含まれる信号パターンとが一致するか否かを判定し、上記信号パターン同士が一致すると判定した場合に、一致する信号パターンを含む入力信号が入力される入力端子からの入力信号を出力するように上記コンピュータを動作させるプログラム。
【請求項２７】
ネットワークを介して制御機器と複数のサーバ機器と通信システムを構成可能であり、入力信号が入力される複数の入力端子を備えたコンピュータを動作させるプログラムであって、
上記制御機器において生成されたキー情報を受信して、キー情報に基づく信号パターンを生成し、
生成した信号パターンと、上記入力端子に入力された入力信号に含まれる信号パターンとが一致するか否かを判定し、上記各信号パターンが一致すると判定した場合には、上記制御機器から上記信号パターンを含む入力信号を送信したサーバ機器の識別情報を取得し、上記信号パターンを含む入力信号が入力された入力端子の識別番号と、取得したサーバ機器の識別情報との組み合わせを入力設定管理テーブルに記録し、
上記制御機器からサーバ機器の識別情報を含む切替指示を受信し、
上記入力設定管理テーブルを参照して受信した切替指示に含まれるサーバ機器の識別情報に対応する入力端子の識別番号を取得し、該識別番号に対応する入力端子からの入力信号を出力するように上記コンピュータを動作させるプログラム。
【請求項２８】
ネットワークを介して制御機器と複数のサーバ機器と通信システムを構成可能であり、入力信号が入力される複数の入力端子を備えたコンピュータを動作させるプログラムであって、
上記制御機器において生成されたキー情報を受信して、キー情報に基づく信号パターンを生成し、
信号パターンと、上記入力端子に入力した入力信号に含まれる信号パターンとが一致するか否かを判定し、
上記各信号パターンが一致すると判定した場合には、上記制御機器に対して、該信号パターンが入力された入力端子の識別番号を通知し、
上記制御機器からサーバ機器の入力端子の識別番号を含む切替指示を受信し、
受信した切替指示に含まれる識別番号に対応する入力端子からの入力信号を出力するように上記コンピュータを動作させるプログラム。
【請求項２９】
ネットワークを介して制御機器と出力機器と通信システムを構成可能であり、出力信号を出力する出力端子を備えたコンピュータを動作させるプログラムであって、
上記制御機器において生成されたキー情報を受信して、キー情報に基づく信号パターンを生成し、
生成した信号パターンを含む出力信号を出力端子から出力するように上記コンピュータを動作させるプログラム。
【請求項３０】
ネットワークを介して出力機器と複数のサーバ機器と通信システムを構成するコンピュータを動作させるプログラムであって、
信号パターンの生成に用いられるキー情報を生成し、
上記キー情報を、上記出力機器と、上記複数のサーバ機器のうちの何れか１つとに対して送信するように上記コンピュータを動作させるプログラム。
【請求項３１】
請求項２６〜３０の何れか１項に記載のプログラムが記録された記録媒体。